(57)【要約】  本発明にかかるカプセル型内視鏡保持装置は、被検体の内部に導入されて該被検体内の画像を撮像するカプセル型内視鏡（２）を保持するカプセル型内視鏡保持装置（６）であって、カプセル型内視鏡（２）の保持位置が外部から加わるエネルギーに応じて互いに異なる第１および第２の位置のいずれかに変化する。
2016157603.tif 000002
【特許請求の範囲】
【請求項１】
被検体の内部に導入されて該被検体内の画像を撮像するカプセル型内視鏡を保持するカプセル型内視鏡保持装置であって、
前記カプセル型内視鏡の保持位置が外部から加わるエネルギーに応じて互いに異なる第１および第２の位置のいずれかに変化する、
ことを特徴とするカプセル型内視鏡保持装置。
【請求項２】
当該カプセル型内視鏡保持装置の一部が変形することにより、前記保持位置が前記第１および第２の位置のいずれかに変化する、
ことを特徴とする請求項１に記載のカプセル型内視鏡保持装置。
【請求項３】
当該カプセル型内視鏡保持装置の一部が外力に応じて変形する、
ことを特徴とする請求項２に記載のカプセル型内視鏡保持装置。
【請求項４】
前記カプセル型内視鏡を保持する有底筒状をなす保持部と、
前記保持部の開口端から傾斜して延び、前記カプセル型内視鏡の保持位置を前記第１または第２の位置とする異なる二つの傾斜態様に変形可能な錘状の傾斜部と、
前記傾斜部の前記保持部に連なる側と異なる側の端部から延びる筒状の壁部と、
を備えたことを特徴とする請求項３に記載のカプセル型内視鏡保持装置。
【請求項５】
前記外力に応じて前記カプセル型内視鏡の位置が前記第１の位置から前記第２の位置に変化し、
前記傾斜部には、前記保持位置が前記第２の位置となる状態に復元する復元力が予め付与されていることを特徴とする請求項４に記載のカプセル型内視鏡保持装置。
【請求項６】
前記傾斜部の剛性が、前記壁部の剛性と比して高いことを特徴とする請求項４または５に記載のカプセル型内視鏡保持装置。
【請求項７】
前記傾斜部の肉厚は、前記壁部の肉厚よりも厚いことを特徴とする請求項６に記載のカプセル型内視鏡保持装置。
【請求項８】
前記傾斜部は、波形状をなすことを特徴とする請求項６に記載のカプセル型内視鏡保持装置。
【請求項９】
前記傾斜部は、前記保持部に連なる側の一端から他端に延びる複数の凸部を有することを特徴とする請求項６に記載のカプセル型内視鏡保持装置。
【請求項１０】
前記カプセル型内視鏡を保持する保持部と、
前記第１および第２の位置の変化により前記保持部が相対的に移動する方向に沿って蛇腹状をなして延びる伸縮自在な伸縮部と、
を有することを特徴とする請求項３に記載のカプセル型内視鏡保持装置。
【請求項１１】
前記カプセル型内視鏡を保持する保持部を有する上面部と、
前記上面部と対向して設けられる底面部と、
前記上面部および前記底面部を両端でそれぞれ連結し、少なくとも前記上面部の剛性より低い剛性を有する側面部と、
を備えたことを特徴とする請求項３に記載のカプセル型内視鏡保持装置。
【請求項１２】
上面部と、
前記上面部と対向して設けられる底面部と、
前記上面部および前記底面部を両端でそれぞれ連結し、少なくとも前記上面部の剛性より低い剛性を有する側面部と、
前記カプセル型内視鏡を保持する保持部と、
前記上面部よりも高い剛性を有し、前記保持部の端部から前記底面部側に傾斜して延び、異なる二つの傾斜態様に変形可能であり、前記側面部の内周面と連結する錘状の傾斜部と、
を備えたことを特徴とする請求項３に記載のカプセル型内視鏡保持装置。
【請求項１３】
前記上面部および前記傾斜部の肉厚は、前記側面部の肉厚よりも厚いことを特徴とする請求項１２に記載のカプセル型内視鏡保持装置。
【請求項１４】
前記上面部および前記傾斜部は、波形状をなすことを特徴とする請求項１２に記載のカプセル型内視鏡保持装置。
【請求項１５】
前記上面部および前記傾斜部は、一端から他端に向けて延びる複数の凸部を有することを特徴とする請求項１２に記載のカプセル型内視鏡保持装置。
【請求項１６】
当該カプセル型内視鏡保持装置の一部が熱に応じて変形する、
ことを特徴とする請求項２に記載のカプセル型内視鏡保持装置。
【請求項１７】
前記カプセル型内視鏡を保持する保持部を有する上面部と、
前記上面部と対向して設けられる底面部と、
前記上面部および前記底面部を両端でそれぞれ連結する側面部と、
を備え、熱により伸縮する材料により形成されたことを特徴とする請求項１６に記載のカプセル型内視鏡保持装置。
【請求項１８】
前記カプセル型内視鏡の落下により、前記保持位置が前記第１および第２の位置のいずれかに変化する、
ことを特徴とする請求項１に記載のカプセル型内視鏡保持装置。
【請求項１９】
前記カプセル型内視鏡が外力に応じて落下する、
ことを特徴とする請求項１８に記載のカプセル型内視鏡保持装置。
【請求項２０】
上面部と、
前記上面部と対向して設けられる底面部と、
前記上面部および前記底面部を両端でそれぞれ連結し、少なくとも前記上面部の剛性より低い剛性を有する側面部と、
前記カプセル型内視鏡を前記第１の位置で保持する第１保持部と、
一端で前記側面部に連結し、他端で前記第１保持部を支持する支持部と、
前記第１保持部の鉛直下方に設けられ、前記カプセル型内視鏡を前記第２の位置で保持する第２保持部と、
を備えたことを特徴とする請求項１９に記載のカプセル型内視鏡保持装置。
【請求項２１】
上面部と、前記上面部と対向して設けられる底面部と、前記上面部および前記底面部を両端でそれぞれ連結し、少なくとも前記上面部の剛性より低い剛性を有する側面部と、を備えた本体部と、
前記側面部の内周面に着脱自在に設けられ、前記カプセル型内視鏡を保持する保持部と、
を備えたことを特徴とする請求項１９に記載のカプセル型内視鏡保持装置。
【請求項２２】
前記保持部は、接合材による接合、または嵌合により前記側面部に保持される、
ことを特徴とする請求項２１に記載のカプセル型内視鏡保持装置。
【請求項２３】
前記上面部の肉厚は、前記側面部の肉厚よりも厚いことを特徴とする請求項２０または２１に記載のカプセル型内視鏡保持装置。
【請求項２４】
前記上面部は、波形状をなすことを特徴とする請求項２０または２１に記載のカプセル型内視鏡保持装置。
【請求項２５】
前記上面部は、一端から他端に向けて延びる複数の凸部を有することを特徴とする請求項２０または２１に記載のカプセル型内視鏡保持装置。
【請求項２６】
前記カプセル型内視鏡が熱に応じて落下する、
ことを特徴とする請求項１８に記載のカプセル型内視鏡保持装置。
【請求項２７】
上面部と、前記上面部と対向して設けられる底面部と、前記上面部および前記底面部を両端でそれぞれ連結する側面部と、を備えた本体部と、
熱により溶解可能な接合材により前記側面部の内周面に保持され、前記カプセル型内視鏡を保持する保持部と、
を備えたことを特徴とする請求項２６に記載のカプセル型内視鏡保持装置。
【請求項２８】
前記カプセル型内視鏡の移動により、前記保持位置が前記第１および第２の位置のいずれかに変化する、
ことを特徴とする請求項１に記載のカプセル型内視鏡保持装置。
【請求項２９】
前記カプセル型内視鏡が磁力に応じて移動する、
ことを特徴とする請求項２８に記載のカプセル型内視鏡保持装置。
【請求項３０】
上面部と、前記上面部と対向して設けられる底面部と、前記上面部および前記底面部を両端でそれぞれ連結する側面部と、を備えた本体部と、
前記側面部の内周面に保持され、磁性材料を含み、前記カプセル型内視鏡を保持する保持部と、
を備えたことを特徴とする請求項２９に記載のカプセル型内視鏡保持装置。
【請求項３１】
前記第１および第２の位置の変化を防止するとともに、所望のタイミングで前記第１および第２の位置の変化の防止を解除可能な防止部材、
を備えたことを特徴とする請求項１〜３０のいずれか一つに記載のカプセル型内視鏡保持装置。
【発明の詳細な説明】
【技術分野】
【０００１】
本発明は、カプセル型内視鏡を保持するカプセル型内視鏡保持装置に関する。
【背景技術】
【０００２】
近年、内視鏡の分野では、撮像機能と無線機能とが装備されたカプセル型の医療装置（カプセル型内視鏡）が登場している。このカプセル型内視鏡は、観察（検査）のために被検体である被検者に飲み込まれた後、被検者の生体から自然排出されるまでの観察期間、胃、小腸などの臓器の内部（被検体内）をその蠕動運動にともなって移動し、撮像機能を用いて順次撮像する。【０００３】
このようなカプセル型内視鏡の中には、内部にリードスイッチを備えるものがある。このカプセル型内視鏡では、磁界を発生する電源スターターをカプセル型内視鏡が収容されたカプセル型内視鏡保持装置に近接させることによって、リードスイッチに磁界を印加することにより、カプセル型内視鏡の駆動状態がオフ状態からオン状態に切り替えられる。リードスイッチを備えるカプセル型内視鏡によれば、カプセル型内視鏡の駆動状態を任意のタイミングでオフ状態からオン状態に切り替え、カプセル型内視鏡の電力消費量を制御することができる。【０００４】
上述したカプセル型内視鏡保持装置として、意図せずに電源がオン状態となることを防止するため、パッケージの内部空間における中央部付近でカプセル型内視鏡を保持するカプセル型内視鏡保持装置が開示されている（特許文献１参照）。
【先行技術文献】
【特許文献】
【０００５】
【特許文献１】特開２００６−１８７４２４号公報
【発明の概要】
【発明が解決しようとする課題】
【０００６】
しかしながら、特許文献１が開示するカプセル型内視鏡保持装置では、カプセル型内視鏡がパッケージの内部空間における中央部に配置されるため、カプセル型内視鏡をカプセル型内視鏡保持装置に収容した状態で電源をオン状態とすることは必ずしも容易ではない。被検体導入前はできるだけ外気や術者に触れない状態でカプセル型内視鏡を扱うことが好ましく、カプセル型内視鏡をカプセル型内視鏡保持装置に収容した状態で電源を容易にオン状態とすることが望まれていた。【０００７】
本発明は、上記に鑑みてなされたものであって、カプセル型内視鏡を収容した状態で電源を容易にオン状態とすることができるカプセル型内視鏡保持装置を提供することを目的とする。
【課題を解決するための手段】
【０００８】
上述した課題を解決し、目的を達成するために、本発明にかかるカプセル型内視鏡保持装置は、被検体の内部に導入されて該被検体内の画像を撮像するカプセル型内視鏡を保持するカプセル型内視鏡保持装置であって、前記カプセル型内視鏡の保持位置が外部から加わるエネルギーに応じて互いに異なる第１および第２の位置のいずれかに変化する、ことを特徴とする。【０００９】
また、本発明にかかるカプセル型内視鏡保持装置は、上記発明において、当該カプセル型内視鏡保持装置の一部が変形することにより、前記保持位置が前記第１および第２の位置のいずれかに変化する、ことを特徴とする。【００１０】
また、本発明にかかるカプセル型内視鏡保持装置は、上記発明において、当該カプセル型内視鏡保持装置の一部が外力に応じて変形する、ことを特徴とする。【００１１】
また、本発明にかかるカプセル型内視鏡保持装置は、上記発明において、前記カプセル型内視鏡を保持する有底筒状をなす保持部と、前記保持部の開口端から傾斜して延び、前記カプセル型内視鏡の保持位置を前記第１または第２の位置とする異なる二つの傾斜態様に変形可能な錘状の傾斜部と、前記傾斜部の前記保持部に連なる側と異なる側の端部から延びる筒状の壁部と、を備えたことを特徴とする。【００１２】
また、本発明にかかるカプセル型内視鏡保持装置は、上記発明において、前記外力に応じて前記カプセル型内視鏡の位置が前記第１の位置から前記第２の位置に変化し、前記傾斜部には、前記保持位置が前記第２の位置となる状態に復元する復元力が予め付与されていることを特徴とする。【００１３】
また、本発明にかかるカプセル型内視鏡保持装置は、上記発明において、前記傾斜部の剛性が、前記壁部の剛性と比して高いことを特徴とする。【００１４】
また、本発明にかかるカプセル型内視鏡保持装置は、上記発明において、前記傾斜部の肉厚は、前記壁部の肉厚よりも厚いことを特徴とする。【００１５】
また、本発明にかかるカプセル型内視鏡保持装置は、上記発明において、前記傾斜部は、波形状をなすことを特徴とする。【００１６】
また、本発明にかかるカプセル型内視鏡保持装置は、上記発明において、前記傾斜部は、前記保持部に連なる側の一端から他端に延びる複数の凸部を有することを特徴とする。【００１７】
また、本発明にかかるカプセル型内視鏡保持装置は、上記発明において、前記カプセル型内視鏡を保持する保持部と、前記第１および第２の位置の変化により前記保持部が相対的に移動する方向に沿って蛇腹状をなして延びる伸縮自在な伸縮部と、を有することを特徴とする。【００１８】
また、本発明にかかるカプセル型内視鏡保持装置は、上記発明において、前記カプセル型内視鏡を保持する保持部を有する上面部と、前記上面部と対向して設けられる底面部と、前記上面部および前記底面部を両端でそれぞれ連結し、少なくとも前記上面部の剛性より低い剛性を有する側面部と、を備えたことを特徴とする。【００１９】
また、本発明にかかるカプセル型内視鏡保持装置は、上記発明において、上面部と、前記上面部と対向して設けられる底面部と、前記上面部および前記底面部を両端でそれぞれ連結し、少なくとも前記上面部の剛性より低い剛性を有する側面部と、前記カプセル型内視鏡を保持する保持部と、前記上面部よりも高い剛性を有し、前記保持部の端部から前記底面部側に傾斜して延び、異なる二つの傾斜態様に変形可能であり、前記側面部の内周面と連結する錘状の傾斜部と、を備えたことを特徴とする。【００２０】
また、本発明にかかるカプセル型内視鏡保持装置は、上記発明において、前記上面部および前記傾斜部の肉厚は、前記側面部の肉厚よりも厚いことを特徴とする。【００２１】
また、本発明にかかるカプセル型内視鏡保持装置は、上記発明において、前記上面部および前記傾斜部は、波形状をなすことを特徴とする。【００２２】
また、本発明にかかるカプセル型内視鏡保持装置は、上記発明において、前記上面部および前記傾斜部は、一端から他端に向けて延びる複数の凸部を有することを特徴とする。【００２３】
また、本発明にかかるカプセル型内視鏡保持装置は、上記発明において、当該カプセル型内視鏡保持装置の一部が熱に応じて変形する、ことを特徴とする。【００２４】
また、本発明にかかるカプセル型内視鏡保持装置は、上記発明において、前記カプセル型内視鏡を保持する保持部を有する上面部と、前記上面部と対向して設けられる底面部と、前記上面部および前記底面部を両端でそれぞれ連結する側面部と、を備え、熱により伸縮する材料により形成されたことを特徴とする。【００２５】
また、本発明にかかるカプセル型内視鏡保持装置は、上記発明において、前記カプセル型内視鏡の落下により、前記保持位置が前記第１および第２の位置のいずれかに変化する、ことを特徴とする。【００２６】
また、本発明にかかるカプセル型内視鏡保持装置は、上記発明において、前記カプセル型内視鏡が外力に応じて落下する、ことを特徴とする。【００２７】
また、本発明にかかるカプセル型内視鏡保持装置は、上記発明において、上面部と、前記上面部と対向して設けられる底面部と、前記上面部および前記底面部を両端でそれぞれ連結し、少なくとも前記上面部の剛性より低い剛性を有する側面部と、前記カプセル型内視鏡を前記第１の位置で保持する第１保持部と、一端で前記側面部に連結し、他端で前記第１保持部を支持する支持部と、前記第１保持部の鉛直下方に設けられ、前記カプセル型内視鏡を前記第２の位置で保持する第２保持部と、を備えたことを特徴とする。【００２８】
また、本発明にかかるカプセル型内視鏡保持装置は、上記発明において、上面部と、前記上面部と対向して設けられる底面部と、前記上面部および前記底面部を両端でそれぞれ連結し、少なくとも前記上面部の剛性より低い剛性を有する側面部と、を備えた本体部と、前記側面部の内周面に着脱自在に設けられ、前記カプセル型内視鏡を保持する保持部と、を備えたことを特徴とする。【００２９】
また、本発明にかかるカプセル型内視鏡保持装置は、上記発明において、前記保持部は、接合材による接合、または嵌合により前記側面部に保持される、ことを特徴とする。【００３０】
また、本発明にかかるカプセル型内視鏡保持装置は、上記発明において、前記上面部の肉厚は、前記側面部の肉厚よりも厚いことを特徴とする。【００３１】
また、本発明にかかるカプセル型内視鏡保持装置は、上記発明において、前記上面部は、波形状をなすことを特徴とする。【００３２】
また、本発明にかかるカプセル型内視鏡保持装置は、上記発明において、前記上面部は、一端から他端に向けて延びる複数の凸部を有することを特徴とする。【００３３】
また、本発明にかかるカプセル型内視鏡保持装置は、上記発明において、前記カプセル型内視鏡が熱に応じて落下する、ことを特徴とする。【００３４】
また、本発明にかかるカプセル型内視鏡保持装置は、上記発明において、上面部と、前記上面部と対向して設けられる底面部と、前記上面部および前記底面部を両端でそれぞれ連結する側面部と、を備えた本体部と、熱により溶解可能な接合材により前記側面部の内周面に保持され、前記カプセル型内視鏡を保持する保持部と、を備えたことを特徴とする。【００３５】
また、本発明にかかるカプセル型内視鏡保持装置は、上記発明において、前記カプセル型内視鏡の移動により、前記保持位置が前記第１および第２の位置のいずれかに変化する、ことを特徴とする。【００３６】
また、本発明にかかるカプセル型内視鏡保持装置は、上記発明において、前記カプセル型内視鏡が磁力に応じて移動する、ことを特徴とする。【００３７】
また、本発明にかかるカプセル型内視鏡保持装置は、上記発明において、上面部と、前記上面部と対向して設けられる底面部と、前記上面部および前記底面部を両端でそれぞれ連結する側面部と、を備えた本体部と、前記側面部の内周面に保持され、磁性材料を含み、前記カプセル型内視鏡を保持する保持部と、を備えたことを特徴とする。【００３８】
また、本発明にかかるカプセル型内視鏡保持装置は、上記発明において、前記第１および第２の位置の変化を防止するとともに、所望のタイミングで前記第１および第２の位置の変化の防止を解除可能な防止部材、を備えたことを特徴とする。
【発明の効果】
【００３９】
本発明によれば、カプセル型内視鏡をカプセル型内視鏡保持装置に収容した状態で電源を容易にオン状態とすることができるという効果を奏する。
【図面の簡単な説明】
【００４０】
【図１】図１は、本発明の実施の形態１におけるカプセル型内視鏡システムの概念を示すシステム概念図である。
【図２】図２は、図１に示すカプセル型内視鏡の一構成例を示す断面模式図である。
【図３】図３は、本発明の実施の形態１にかかる収容パッケージの構成を示す斜視図である。
【図４】図４は、図３に示すＡ−Ａ線の部分断面図であって、収容パッケージを、外装ケースの長手方向に垂直な面で切断した図である。
【図５】図５は、本発明の実施の形態１にかかる収容パッケージに収容されたカプセル型内視鏡の保持位置の変更を説明する図である。
【図６】図６は、本発明の実施の形態１の変形例１にかかる収容パッケージに収容されたカプセル型内視鏡の保持位置の変更を説明する図である。
【図７】図７は、本発明の実施の形態１の変形例２にかかる収容パッケージに収容されたカプセル型内視鏡の保持位置の変更を説明する図である。
【図８】図８は、本発明の実施の形態１の変形例３にかかる凹部の構成を模式的に示す斜視図である。
【図９】図９は、本発明の実施の形態１の変形例４にかかる凹部の構成を模式的に示す斜視図である。
【図１０】図１０は、本発明の実施の形態２にかかる収容パッケージの構成を示す部分断面図である。
【図１１】図１１は、本発明の実施の形態２にかかる収容パッケージの構成を示す部分断面図である。
【図１２】図１２は、本発明の実施の形態２の変形例１にかかる収容パッケージの変形を防止する変形防止部材の構成を模式的に示す部分断面図である。
【図１３】図１３は、本発明の実施の形態２の変形例２にかかる収容パッケージの変形を防止する変形防止部材の構成を模式的に示す部分断面図である。
【図１４】図１４は、本発明の実施の形態３にかかる収容パッケージの構成を示す部分断面図である。
【図１５】図１５は、本発明の実施の形態３にかかる収容パッケージの構成を示す部分断面図である。
【図１６】図１６は、本発明の実施の形態３の変形例１にかかる収容パッケージの構成を示す部分断面図である。
【図１７】図１７は、本発明の実施の形態３の変形例１にかかる収容パッケージの構成を示す部分断面図である。
【図１８】図１８は、本発明の実施の形態３の変形例２にかかる収容パッケージの構成を示す部分断面図である。
【図１９】図１９は、本発明の実施の形態３の変形例２にかかる収容パッケージに収容されたカプセル型内視鏡の保持位置の変更を説明する図である。
【図２０】図２０は、本発明の実施の形態３の変形例３にかかる収容パッケージの構成を示す部分断面図である。
【図２１】図２１は、本発明の実施の形態３の変形例３にかかる収容パッケージに収容されたカプセル型内視鏡の保持位置の変更を説明する図である。
【図２２】図２２は、本発明の実施の形態３の変形例４にかかる収容パッケージの変形を防止する変形防止部材の構成を模式的に示す部分断面図である。
【図２３】図２３は、図２２に示す矢視Ｂからみた変形防止部材の構成を示す上面図である。
【図２４】図２４は、本発明の実施の形態３の変形例４にかかる収容パッケージの変形を防止する変形防止部材の構成を模式的に示す部分断面図である。
【図２５】図２５は、本発明の実施の形態３の変形例５にかかる収容パッケージの変形を防止する変形防止部材の構成を模式的に示す部分断面図である。
【図２６】図２６は、本発明の実施の形態３の変形例５にかかる収容パッケージの変形を防止する変形防止部材の構成を模式的に示す部分断面図である。
【図２７】図２７は、本発明の実施の形態４にかかる収容パッケージの構成を示す部分断面図である。
【図２８】図２８は、本発明の実施の形態４にかかる収容パッケージに収容されたカプセル型内視鏡の保持位置の変更を説明する図である。
【図２９】図２９は、本発明の実施の形態４の変形例１にかかる収容パッケージの構成を示す部分断面図である。
【図３０】図３０は、本発明の実施の形態４の変形例１にかかる収容パッケージに収容されたカプセル型内視鏡の保持位置の変更を説明する図である。
【図３１】図３１は、本発明の実施の形態４の変形例２にかかる収容パッケージの構成を示す部分断面図である。
【図３２】図３２は、本発明の実施の形態４の変形例２にかかる収容パッケージに収容されたカプセル型内視鏡の保持位置の変更を説明する図である。
【発明を実施するための形態】
【００４１】
以下に添付図面を参照して、本発明の実施の形態にかかるカプセル型内視鏡のパッケージを詳細に説明する。なお、これらの実施の形態により本発明が限定されるものではない。また、図面の記載において、同一部分には同一の符号を付している。また、図面は模式的なものであり、各部材の厚みと幅との関係、各部材の比率などは、現実と異なることに留意する必要がある。図面の相互間においても、互いの寸法の関係や比率が異なる部分が含まれている。また、本明細書では、圧力や熱、磁界により生じるエネルギーが外部から加わるものとして説明する。
【００４２】
（実施の形態１）
図１は、本発明におけるカプセル型内視鏡システムの概念を示すシステム概念図である。図１において、このカプセル型内視鏡システムは、被検体１の内部に導入されて被検体１の内部の画像を撮像し外部に無線送信するカプセル型医療装置として機能する飲み込み型のカプセル型内視鏡２と、被検体１の外部に配置されて、カプセル型内視鏡２との間で各種の情報を無線通信する体外装置である受信装置３とを備えている。また、無線型被検体内情報取得システムは、受信装置３が受信したデータに基づいて画像表示を行う表示装置４と、受信装置３と表示装置４間でデータの入出力を行う携帯型記録媒体５とを備えている。
【００４３】
受信装置３は、カプセル型内視鏡２から無線送信された被検体内の画像データを受信する無線受信手段として機能する。受信装置３は、被検体１に着用されると共に、図示しない複数の受信用アンテナを有する受信ジャケット３ａと、受信された無線信号の信号処理を行う外部装置３ｂとを備える。
【００４４】
表示装置４は、カプセル型内視鏡２によって撮像された被検体内画像を表示するためのものであり、携帯型記録媒体５によって得られるデータに基づいて画像表示を行うワークステーション等のような構成を有する。具体的には、表示装置４は、液晶ディスプレイ等によって直接画像を表示する構成としても良いし、プリンタ等のように、他の媒体に画像を出力する構成としても良い。
【００４５】
携帯型記録媒体５は、外部装置３ｂ及び表示装置４にも接続可能であって、両者に対して装着されて、接続された時に情報の出力または記録が可能な構造を有する。本実施形態では、携帯型記録媒体５は、カプセル型内視鏡２が被検体１内を移動している間は、外部装置３ｂに挿入されてカプセル型内視鏡２から送信されるデータを記録する。次に、カプセル型内視鏡２が被検体１から排出された後、つまり、被検体１内の撮像が終了した後には、外部装置３ｂから取り出されて表示装置４に挿入され、この表示装置４によって、携帯型記録媒体５に記録されたデータが読み出される構成を有する。例えば、携帯型記録媒体５は、コンパクトフラッシュ（登録商標）メモリ等から構成され、外部装置３ｂと表示装置４とのデータの入出力を、携帯型記録媒体５を介して間接的に行うことができ、外部装置３ｂと表示装置４との間が有線で直接接続された場合と異なり、被検体１が被検体内画像を撮影中に自由に動作することが可能となる。
【００４６】
次に、図１に示すカプセル型内視鏡２について説明する。図２は、図１に示すカプセル型内視鏡２の一構成例を示す断面模式図である。図２に示すように、カプセル型内視鏡２は、被検体の臓器内部に導入し易い大きさに形成された外装であるカプセル型筐体１２と、互いに異なる撮像方向の被写体の画像を撮像する撮像部１１Ａ，１１Ｂとを備える。また、カプセル型内視鏡２は、撮像部１１Ａ，１１Ｂによって撮像された各画像をアンテナ１６ａで外部に無線送信する無線通信部１６と、カプセル型内視鏡２の各構成部を制御する制御部１７と、カプセル型内視鏡２の各構成部に電力を供給する電源部１８とを備える。
【００４７】
カプセル型筐体１２は、被検体の臓器内部に導入可能な大きさに形成された外装ケースであり、筒状筐体１２ａの両側開口端をドーム状筐体１２ｂ，１２ｃによって塞ぐことによって実現される。ドーム状筐体１２ｂ，１２ｃは、可視光等の所定波長帯域の光に対して透明なドーム形状の光学部材である。筒状筐体１２ａは、可視光に対して略不透明な有色の筐体である。かかる筒状筐体１２ａおよびドーム状筐体１２ｂ，１２ｃによって形成されるカプセル型筐体１２は、図２に示すように、撮像部１１Ａ，１１Ｂ、無線通信部１６、制御部１７および電源部１８を液密に内包する。
【００４８】
撮像部１１Ａ，１１Ｂは、互いに異なる撮像方向の画像を撮像する。具体的には、撮像部１１Ａは、ＬＥＤ等の照明部１３Ａと、集光レンズ等の光学系１４Ａと、ＣＭＯＳイメージセンサまたはＣＣＤ等の撮像素子１５Ａとを有する。照明部１３Ａは、撮像素子１５Ａの撮像視野Ｓ１に白色光等の照明光を発光して、ドーム状筐体１２ｂ越しに撮像視野Ｓ１内の被写体（例えば被検体内部における撮像視野Ｓ１側の臓器内壁）を照明する。光学系１４Ａは、この撮像視野Ｓ１からの反射光を撮像素子１５Ａの撮像面に集光して、撮像素子１５Ａの撮像面に撮像視野Ｓ１の被写体画像を結像させる。撮像素子１５Ａは、この撮像視野Ｓ１からの反射光を、撮像面を介して受光し、この受光した光信号を光電変換処理して、この撮像視野Ｓ１（画角φ）の被写体画像、すなわち被検体の体内画像（被検体内画像）を撮像する。撮像部１１Ｂは、ＬＥＤ等の照明部１３Ｂと、集光レンズ等の光学系１４Ｂと、ＣＭＯＳイメージセンサまたはＣＣＤ等の撮像素子１５Ｂとを有する。照明部１３Ｂは、撮像素子１５Ｂの撮像視野Ｓ２に白色光等の照明光を発光して、ドーム状筐体１２ｃ越しに撮像視野Ｓ２内の被写体（例えば被検体内部における撮像視野Ｓ２側の臓器内壁）を照明する。光学系１４Ｂは、この撮像視野Ｓ２からの反射光を撮像素子１５Ｂの撮像面に集光して、撮像素子１５Ｂの撮像面に撮像視野Ｓ２の被写体画像を結像させる。撮像素子１５Ｂは、この撮像視野Ｓ２からの反射光を、撮像面を介して受光し、この受光した光信号を光電変換処理して、この撮像視野Ｓ２（画角φ）の被写体画像、すなわち被検体内画像を撮像する。
【００４９】
なお、カプセル型内視鏡２が図２に示すように長軸Ｌａ方向の前方および後方を撮像する２眼タイプのカプセル型医療装置である場合、かかる撮像部１１Ａ，１１Ｂの各光軸は、カプセル型筐体１２の長手方向の中心軸である長軸Ｌａと略平行あるいは略一致する。また、かかる撮像部１１Ａ，１１Ｂの撮像視野Ｓ１，Ｓ２の各方向、すなわち撮像部１１Ａ，１１Ｂの各撮像方向は、互いに反対方向である。
【００５０】
制御部１７は、カプセル型内視鏡２の構成部である撮像部１１Ａ，１１Ｂおよび無線通信部１６の各動作を制御し、かつ、かかる各構成部間における信号の入出力を制御する。具体的には、制御部１７は、照明部１３Ａが照明した撮像視野Ｓ１内の被写体の画像を撮像素子１５Ａに撮像させ、照明部１３Ｂが照明した撮像視野Ｓ２内の被写体の画像を撮像素子１５Ｂに撮像させる。また、制御部１７は、画像信号を生成する信号処理機能を有する。制御部１７は、撮像素子１５Ａから撮像視野Ｓ１の体内画像データを取得し、その都度、この体内画像データに対して所定の信号処理を行って、撮像視野Ｓ１の体内画像データを含む画像信号を生成する。これと同様に、制御部１７は、撮像素子１５Ｂから撮像視野Ｓ２の体内画像データを取得し、その都度、この体内画像データに対して所定の信号処理を行って、撮像視野Ｓ２の体内画像データを含む画像信号を生成する。制御部１７は、かかる各画像信号を時系列に沿って外部に順次無線送信するように無線通信部１６を制御する。
【００５１】
電源部１８は、照明部や撮像部などの各部に対して電源供給を行う。電源部１８は、リードスイッチ１８ａを有し、リードスイッチ１８ａのスイッチ動作に応じて電源の起動／停止が制御される。リードスイッチ１８ａは、外部から印加される磁界に反応してスイッチ動作を行う。具体的には、磁界を発生するスターターをリードスイッチ１８ａのリードの軸方向に所定方向から近接することによって電源部１８がオン状態となる。したがって、カプセル型内視鏡２に対するスターターは、カプセル型内視鏡２内部のリードスイッチ１８ａのリードの軸方向に対して所定方向から接近させなければ、カプセル型内視鏡２の電源はオン状態とはならない。
【００５２】
ところで、カプセル型内視鏡２は、被検体１への使用前には、滅菌されてその滅菌状態を保つ必要がある。そこで、本実施の形態１では、上記のカプセル型内視鏡２を滅菌可能な収容パッケージ（カプセル型内視鏡保持装置）に収容している。以下に図３および図４を用いて、本実施の形態１にかかるカプセル型内視鏡の収容パッケージを説明する。ここで、図３は、図２に示すカプセル型内視鏡を収容する実施の形態１にかかる収容パッケージの構成を示す斜視図である。図４は、図３に示すＡ−Ａ線の部分断面図であって、収容パッケージを、外装ケースの長手方向に垂直な面で切断した図である。
【００５３】
図３および図４に示すように、本実施の形態１にかかる収容パッケージ６は、カプセル型内視鏡２を保持する収容ケース６１と、収容ケース６１の上面に設けられ、収容ケース６１の開口を閉塞する滅菌シート６２とを備える。収容ケース６１は、例えば、ポリプロピレン等を用いて真空成形等の成形加工をすることによって形成される。滅菌シート６２は、空気を透過し、菌の透過を遮断する。
【００５４】
収容ケース６１は、有底の円筒部６１ａと、この円筒部６１ａの開口上縁の一部に設けられた舌片形状の取手部６１ｂと、円筒部６１ａの開口上縁および取手部６１ｂの外周に設けられた縁部６１ｃと、円筒部６１ａの周面に設けられ、円筒部６１ａの内部から外部方向に突出してなり、円筒部６１ａの長手方向に沿って形成された略半円柱形状をなす複数の突起部６１ｄと、を備える。縁部６１ｃは、上面に滅菌シート６２が貼り付けられるようになっている。
【００５５】
円筒部６１ａの底部には、カプセル型内視鏡２を保持するとともに、該カプセル型内視鏡２の保持位置を変更可能な凹部６１０が設けられている。凹部６１０は、カプセル型内視鏡２を保持する有底筒状の保持部６１１と、保持部６１１の上端から円筒部６１ａの底部側に傾斜して延びる錘状の傾斜部６１２と、傾斜部６１２の保持部６１１に連なる側と異なる側の端部から円筒部６１ａの底部側に一様な径で延びる円筒状の壁部６１３と、を有する。凹部６１０では、カプセル型内視鏡２の保持位置が外力に応じて互いに異なる第１および第２の位置のいずれかに変化する。
【００５６】
保持部６１１は、内周面のなす径が、カプセル型内視鏡２の長軸Ｌａと直交する方向の径（筒状筐体１２ａの外周のなす径）と略同等である。
【００５７】
傾斜部６１２は、保持部６１１の側面に対して所定の角度をなして延びる傾斜面をなす。換言すれば、傾斜部６１２の外表面と、保持部６１１の側面とは、所定の角度θ（０°＜θ＜９０°）をなす。
【００５８】
壁部６１３は、円筒部６１ａの上端側に立ち上がって延び、凹部６１０の内壁をなす。変形部である壁部６１３は、剛性が、高剛性部である傾斜部６１２の剛性と比して低く、弾性変形可能である。このため、凹部６１０に対して外部から力が加わった際に、壁部６１３が、傾斜部６１２よりも優先的に弾性変形する。なお、本実施の形態１では、円筒部６１ａは、同一の材料（例えばポリプロピレン）を用いて一体成形され、傾斜部６１２と壁部６１３との剛性の差は、厚さ（肉厚）を変えることにより調整される。
【００５９】
カプセル型内視鏡２は、図４に示す保持状態において、保持部６１１によりリードスイッチ１８ａが収容パッケージ６の中央部に位置するように保持されている。カプセル型内視鏡２のリードスイッチ１８ａが収容パッケージ６によって外部の磁界から離れた位置となるように保持されるため、意図せずに電源がオン状態となることを防止することができる。
【００６０】
続いて、収容パッケージ６に収容されたカプセル型内視鏡２の保持位置を変更する方法について図面を参照して説明する。図５は、本実施の形態１にかかる収容パッケージに収容されたカプセル型内視鏡の保持位置の変更を説明する図である。図５の（ａ）は、カプセル型内視鏡２が収容パッケージ６の中央部（第１の位置）に保持されている状態を示している。図５の（ｂ）は、カプセル型内視鏡２の保持位置の変更途中の状態を示している。図５の（ｃ）は、カプセル型内視鏡２が収容パッケージ６の底部側（第２の位置）に保持されている状態を示している。
【００６１】
図５の（ａ）に示すように、カプセル型内視鏡２が第１の位置で保持されている状態において、使用者等により保持部６１１を下方（円筒部６１ａの底部側）に移動させる力Ｆが加わると、保持部６１１の移動に伴って傾斜部６１２も移動する。傾斜部６１２は、傾斜部６１２の外表面と保持部６１１の側面とのなす角度が、大きくなる方向に移動する。
【００６２】
この際、傾斜部６１２の移動に伴う変形圧が壁部６１３に加わると、壁部６１３が、傾斜部６１２との連結側の端部が拡径する方向に弾性変形する（図５の（ｂ）参照）。
【００６３】
その後、保持部６１１をさらに下方に移動させると、保持部６１１の上端が、壁部６１３の上端より低くなり、壁部６１３も弾性変形した状態からもとの形状に戻る（図５の（ｃ）参照）。この際、傾斜部６１２の保持部６１１に対する傾斜態様が逆となる。これにより、カプセル型内視鏡２は、円筒部６１ａの底部側（第２の位置）に保持された状態に変化する。なお、上述した保持位置の変更により、収容パッケージ６内の体積が変化する。
【００６４】
カプセル型内視鏡２が収容パッケージ６の中央部（第１の位置）から底部側の位置（第２の位置）に移動すると、該カプセル型内視鏡２の移動に伴いリードスイッチ１８ａの位置も収容パッケージ６の底部側に移動する。例えば、図５の（ｃ）において下方から（収容パッケージ６の底部側に）スターターを近接することによって、リードスイッチ１８ａがスイッチ動作を行い、電源部１８がオン状態となる。これにより、電源部１８から照明部や撮像部などの各部に対して電源供給が行われる。
【００６５】
一方、カプセル型内視鏡２が収容パッケージ６の中央部（第１の位置）に位置する場合は、図５の（ａ）において下方から（収容パッケージ６の底部側に）スターターを近接しても、スターターの磁界作用範囲にリードスイッチ１８ａが存在しない、または作用する磁力が弱いため、スイッチ動作が行われず、電源部１８もオン状態とならない。換言すれば、第１の位置では、収容パッケージ６の外周のどの方向からもリードスイッチ１８ａが遠く、輸送時などにどの方向から未知の磁界が接近してもオン状態となりにくい。
【００６６】
上述した本実施の形態１によれば、カプセル型内視鏡２を保持する保持部６１１が移動すると、該保持部６１１の移動に伴い傾斜部６１２が移動し、該傾斜部６１２の移動に応じて壁部６１３が弾性変形して傾斜部６１２の傾斜態様が逆となって保持部６１１の位置が変化するようにしたので、カプセル型内視鏡２を収容した状態で電源を容易にオン状態とすることができる。
【００６７】
また、上述した本実施の形態１によれば、第１の位置で保持した状態の収容パッケージ６で搬送することで、カプセル型内視鏡２の外部からの力による破損や、意図しないリードスイッチ１８ａのスイッチ動作を防止するとともに、円筒部６１ａの底部側（第２の位置）に保持された状態でリードスイッチ１８ａのスイッチ動作を行わせることで、より小さい磁界で電源をオン状態とすることができる。
【００６８】
また、上述した本実施の形態１によれば、保持部６１１に力Ｆを加えることによって保持部６１１の位置の変更がなされるため、例えば、カプセル型内視鏡２を第１の位置で保持した状態の収容パッケージ６が、搬送中などにおいて不用意に第２の位置に変更されることはなく、使用者の任意のタイミングで第２の位置に変更されるため、カプセル型内視鏡２が意図しないタイミングで第２の位置で保持された状態となり、電源部１８がオン状態となることを確実に防止することができる。
【００６９】
なお、上述した本実施の形態１では、傾斜部６１２と壁部６１３との剛性の差を、各部の厚みを変えることにより調整するものとして説明したが、剛性や降伏応力の異なる材料を用いるものであってもよいし、これらの組み合わせであってもよい。材料としては、例えば、ポリプロピレン、ポリスチレン、ポリエチレンテレフタレートなどの樹脂が挙げられる。
【００７０】
（実施の形態１の変形例１）
続いて、本発明の実施の形態１の変形例１について説明する。図６は、本実施の形態１の変形例１にかかる収容パッケージに収容されたカプセル型内視鏡の保持位置の変更を説明する図である。図６は、収容パッケージ６の成形時の状態を示す図であって、保持部６１１が収容パッケージ６の底部側（第２の位置）に位置している状態を示している。上述した構成と同様の構成には同一の符号が付してある。本変形例１では、傾斜部６１２に、第２の位置の状態をとるための復元力が加わっている。
【００７１】
本変形例１にかかる円筒部６１ａは、収容パッケージ６の成形時、保持部６２１が収容パッケージ６の底部側（第２の位置）に位置している状態となるように成形される。その後、保持部６１１を第１の位置に移動させて、カプセル型内視鏡２を保持部６１１に保持させることで、図４に示すような、カプセル型内視鏡２が収容された収容パッケージ６を得ることができる。
【００７２】
本変形例１では、傾斜部６１２が、保持部６１１が収容パッケージ６の底部側（第２の位置）に位置している状態となるように成形しているため、保持部６１１を第１の位置に位置させた状態では、傾斜部６１２に、第２の位置の状態をとるための復元力が加わっている。このため、実施の形態１と比して小さい力により第１の位置から第２の位置に変更することができる。
【００７３】
（実施の形態１の変形例２）
続いて、本発明の実施の形態１の変形例２について説明する。図７は、本実施の形態１の変形例２にかかる収容パッケージに収容されたカプセル型内視鏡の保持位置の変更を説明する図である。図７の（ａ）は、カプセル型内視鏡２が収容パッケージ６の中央部（第１の位置）に保持されている状態を示している。図７の（ｂ）は、カプセル型内視鏡２の保持位置の変更途中の状態を示している。図７の（ｃ）は、カプセル型内視鏡２が収容パッケージ６の底部側（第２の位置）に保持されている状態を示している。上述した構成と同様の構成には同一の符号が付してある。上述した実施の形態１では、壁部６１３が一様な径で延びるものとして説明したが、本変形例２では、壁部が、円筒部の底部側から上端に向けて縮径した錘状をなす。
【００７４】
本変形例２にかかる円筒部６１ａは、上述した凹部６１０に代えて、凹部６２０を有する。凹部６２０は、カプセル型内視鏡２を保持する有底筒状の保持部６２１と、保持部６２１の上端から円筒部６１ａの底部側に傾斜して延びる錘状の傾斜部６２２と、傾斜部６２２の保持部６２１に連なる側と異なる側の端部から円筒部６１ａの底部側から上端に向けて縮径した中空錘状をなす壁部６２３と、を有する。なお、傾斜部６２２には、変形例１のような復元力が生じているものとして説明する。
【００７５】
保持部６２１は、上述した保持部６１１と同様、内周面のなす径が、カプセル型内視鏡２の長軸Ｌａと直交する方向の径と略同等である。
【００７６】
傾斜部６２２は、保持部６２１の側面に対して所定の角度をなして延びる傾斜面をなす。換言すれば、傾斜部６２２の外表面と、保持部６２１の側面とは、所定の角度θ１（０°＜θ１＜９０°）をなす。
【００７７】
壁部６２３は、円筒部６１ａの上端側に立ち上がって延び、凹部６２０の内壁をなす。壁部６２３は、円筒部６１ａの底部側から上端に向けて縮径した中空錘状をなし、壁部６２３の外表面と、保持部６２１の側面とは、所定の角度θ２（０°＜θ２＜θ１＜９０°）をなす。
【００７８】
続いて、収容パッケージ６に収容されたカプセル型内視鏡２の保持位置を変更する方法について図７を参照して説明する。図７の（ａ）に示すように、カプセル型内視鏡２が第１の位置で保持されている状態において、筒状の位置変更部材１００を凹部６２０に挿入する。位置変更部材１００の外周の径は壁部６２３の内周の最小径より大きく、最大径より小さい。また、位置変更部材１００の内周の径は、保持部６２１の外周の径より大きい。
【００７９】
位置変更部材１００を凹部６２０に挿入すると、挿入側の先端が壁部６２３に当接し、壁部６２３を拡径する（図７の（ｂ）参照）。壁部６２３を拡径すると、この壁部６２３の移動に伴って傾斜部６２２も移動する。傾斜部６２２は、壁部６２３の拡径と、予め付加されている復元力により、保持部６２１の第２の位置側へ移動させる。
【００８０】
位置変更部材１００をさらに挿入すると、保持部６２１が円筒部６１ａの底部側に移動し、カプセル型内視鏡２が第２の位置で保持された状態となる（図７の（ｃ））。その後、位置変更部材１００を凹部６２０から抜き取る。
【００８１】
上述した本変形例２によれば、位置変更部材１００を用いて壁部６２３に力を加えることよって、保持部６２１の位置を変更することができる。
【００８２】
上述した本変形例２において、位置変更部材１００に磁石を内蔵すれば、この位置変更部材１００の挿入操作のみで電源部１８をオン状態とすることが可能であり、位置変更部材１００をスターターとして用いることができる。
【００８３】
（実施の形態１の変形例３）
続いて、本発明の実施の形態１の変形例３について説明する。図８は、本実施の形態１の変形例３にかかる凹部の構成を模式的に示す斜視図である。上述した実施の形態１では、肉厚を変えることにより傾斜部６１２と壁部６１３との剛性を調整するものとして説明したが、本変形例３では、傾斜部の形状を変えて壁部６１３との剛性を調整する。
【００８４】
本変形例３にかかる凹部６１０は、傾斜部６１２に代えて傾斜部６１２ａを有する。傾斜部６１２ａは、両端において保持部６１１の先端と壁部６１３の先端とそれぞれ接続する錘状をなす。また、傾斜部６１２ａは、周回方向に沿って波形状をなしている。これにより、平面状をなす場合と比して剛性を高くすることができる。なお、「周回方向」とは、例えば保持部６１１の開口のなす円の周方向である。
【００８５】
本変形例３によれば、傾斜部６１２ａが、側面の周方向に沿って波形状をなすようにしたので、同一材料であって、同一の厚さを有する材料を用いた場合であっても、傾斜部６１２ａと壁部６１３との剛性を調整することができる。
【００８６】
（実施の形態１の変形例４）
続いて、本発明の実施の形態１の変形例４について説明する。図９は、本実施の形態１の変形例４にかかる凹部の構成を模式的に示す斜視図である。上述した実施の形態１では、肉厚を変えることにより傾斜部６１２と壁部６１３との剛性を調整するものとして説明したが、本変形例４では、傾斜部の形状を変えて壁部６１３との剛性を調整する。
【００８７】
本変形例４にかかる凹部６１０は、傾斜部６１２に代えて傾斜部６１２ｂを有する。傾斜部６１２ｂは、両端において保持部６１１の先端と壁部６１３の先端とそれぞれ接続する錘状をなす。また、傾斜部６１２ｂは、延伸方向に沿って角柱状をなして延びるリブ形状の複数の凸部６１２ｃを有する。複数の凸部６１２ｃは、傾斜部６１２ｂの上面視において放射状をなす。複数の凸部６１２ｃは、傾斜部６１２ｂの一部を変形させて形成するものであってもよいし、別体として設けられるものであってもよい。これにより、平面状をなす場合と比して剛性を高くすることができる。なお、「延伸方向」とは、保持部６１１に接続する側の端部（一端）から壁部６１３と接続する側の端部（他端）に向けて延びる方向であって、例えば錘状体の母線方向に相当する。
【００８８】
本変形例４によれば、傾斜部６１２ｂが、角柱状をなして延びるリブ形状の複数の凸部６１２ｃを有するようにしたので、同一材料を用いた場合であっても、傾斜部６１２ｂと壁部６１３との剛性を調整することができる。なお、凸部６１２ｃは、角柱状のほか、半円をなす断面をなして延びるものなど、傾斜部の表面から突出していればよい。
【００８９】
（実施の形態２）
続いて、本発明の実施の形態２について説明する。図１０は、本実施の形態２にかかる収容パッケージの構成を示す部分断面図であって、図３に示すＡ−Ａ線の部分断面図に対応する図である。上述した構成と同様の構成には同一の符号が付してある。上述した実施の形態１では、凹部６１０に設けられた傾斜部６１２および壁部６１３によって保持部６１１の位置を変更するものとして説明したが、本実施の形態２では、円筒部６３ａの側面部の一部が伸縮自在な形状をなす。
【００９０】
図１０に示すように、本実施の形態２にかかる収容パッケージ６ａは、カプセル型内視鏡２を保持する収容ケース６３と、収容ケース６３の上面に設けられ、収容ケース６３の開口を閉塞する滅菌シート６２とを備える。
【００９１】
収容ケース６３は、有底の円筒部６３ａと、この円筒部６３ａの開口上縁の一部に設けられた舌片形状の取手部６３ｂと、円筒部６３ａの開口上縁および取手部６３ｂの外周に設けられた縁部６３ｃと、円筒部６３ａの周面に設けられ、円筒部６３ａの内部から外部方向に突出した円筒部６３ａの長手方向に形成された略半円柱形状の複数の突起部６３ｄと、を備える。縁部６３ｃは、上面に滅菌シート６２が貼り付けられるようになっている。
【００９２】
円筒部６３ａの底部には、カプセル型内視鏡２を保持する保持部６３０ａを有する凹部６３０が設けられている。保持部６３０ａは、カプセル型内視鏡２を保持する有底筒状をなし、上述した保持部６１１と同様、内周面のなす径が、カプセル型内視鏡２の長軸Ｌａと直交する方向の径と略同等である。
【００９３】
また、円筒部６３ａの側面部には、円筒部６３ａの上下方向に蛇腹状をなして延び、該上下方向に伸縮自在な伸縮部６３１が設けられている。
【００９４】
図１１は、本実施の形態２にかかる収容パッケージの構成を示す部分断面図であって、図３に示すＡ−Ａ線の部分断面図に対応する図である。図１０に示す収容パッケージ６ａにおいて、円筒部６３ａの底部が上端（縁部６３ｃ）に近づく方向に力を加えると、伸縮部６３１が圧縮されてカプセル型内視鏡２が滅菌シート６２に近づく。本実施の形態２では、伸縮部６３１に力が加わらずに圧縮されていない状態のカプセル型内視鏡２（保持部６３０ａ）の位置（図１０参照）を第１の位置とし、伸縮部６３１が圧縮された状態のカプセル型内視鏡２（保持部６３０ａ）の位置（図１１参照）を第２の位置とする。
【００９５】
カプセル型内視鏡２は、図１０に示す保持状態において、保持部６３０ａにより収容パッケージ６ａの中央部に保持されている。カプセル型内視鏡２が収容パッケージ６ａによって外部の磁界から離れた位置で保持されるため、意図せずに電源がオン状態となることを防止することができる。
【００９６】
また、カプセル型内視鏡２は、第２の位置では、収容パッケージ６ａの滅菌シート６２側に位置するため、例えば、図１１において上方から、即ち、滅菌シート側からスターターを近接することによって、リードスイッチ１８ａがスイッチ動作を行い、電源部１８がオン状態となる。これにより、電源部１８から照明部や撮像部などの各部に対して電源供給が行われる。
【００９７】
上述した本実施の形態２によれば、円筒部６３ａの側面部に設けられた伸縮部６３１の伸縮により、収容パッケージ６ａにおけるカプセル型内視鏡２（保持部６３０ａ）の相対的な位置が変化するようにしたので、カプセル型内視鏡２を収容した状態で電源を容易にオン状態とすることができる。
【００９８】
（実施の形態２の変形例１）
続いて、本発明の実施の形態２の変形例１について説明する。図１２は、本実施の形態２の変形例１にかかる収容パッケージの変形を防止する変形防止部材の構成を模式的に示す部分断面図である。上述した実施の形態２では、例えば収容パッケージ６ａの搬送時、積み重ねや移動による振動などにより、収容パッケージ６ａが伸縮してしまうおそれがある。本変形例１では、この意図しない伸縮を防止するための変形防止部材が設けられる。
【００９９】
本変形例１にかかる変形防止部材２００は、少なくとも円筒部６３ａを収納して保持する有底筒状なす。具体的には、変形防止部材２００は、縁部６３ｃの下面（滅菌シート６２が貼り付けられる側と異なる側の面）を支持するとともに、底部で円筒部６３ａを保持する。変形防止部材２００と縁部６３ｃの下面とは、当接するのみであってもよいし、シール材や着脱自在な接着剤、嵌合などの公知の手段により取り付け可能である。
【０１００】
本変形例１によれば、収容パッケージ６ａを変形防止部材２００により保持することで、例えば収容パッケージ６ａの搬送時、積み重ねや移動による振動などにより、収容パッケージ６ａが意図せずに伸縮することを防止できる。
【０１０１】
（実施の形態２の変形例２）
続いて、本発明の実施の形態２の変形例２について説明する。図１３は、本実施の形態２の変形例２にかかる収容パッケージの変形を防止する変形防止部材の構成を模式的に示す部分断面図である。上述した実施の形態２の変形例１では、有底筒状の変形防止部材２００を縁部６３ｃの下面に取り付けるものとして説明したが、本変形例２にかかる変形防止部材２０１は、収容パッケージ６ａ全体を収納する。
【０１０２】
本変形例２にかかる変形防止部材２０１は、収容パッケージ６ａ全体を収容可能な有底筒状なす収容部２０１ａと、収容部２０１ａの端面に設けられ、収容部２０１ａの開口を閉塞する蓋部２０１ｂと、有する。収容部２０１ａと蓋部２０１ｂとにより収容パッケージ６ａを収容することで、収容パッケージ６ａに対して外部から力が加わることを防止することができる。
【０１０３】
本変形例２によれば、収容パッケージ６ａを変形防止部材２０１に収納することで、例えば収容パッケージ６ａの搬送時、積み重ねや移動による振動などにより、収容パッケージ６ａが意図せずに伸縮することを防止できる。
【０１０４】
（実施の形態３）
続いて、本発明の実施の形態３について説明する。図１４は、本実施の形態３にかかる収容パッケージの構成を示す部分断面図である。上述した構成と同様の構成には同一の符号が付してある。上述した実施の形態１では、凹部６１０に設けられた傾斜部６１２および壁部６１３によって保持部６１１の位置を変更するものとして説明したが、本実施の形態３では、収容パッケージ７の側面部の一部が伸縮自在な形状をなす。
【０１０５】
図１４に示すように、本実施の形態３にかかる収容パッケージ７は、滅菌された空間領域でカプセル型内視鏡２を保持する箱状をなす。
【０１０６】
収容パッケージ７は、上面部７０および底面部７１と、この上面部７０および底面部７１を両端でそれぞれ連結する略筒状の側面部７２と、を有する。なお、底面部７１に滅菌シートを設けてもよい。
【０１０７】
上面部７０には、カプセル型内視鏡２を保持する保持部７１１を有する凹部７１０が設けられている。保持部７１１は、カプセル型内視鏡２を保持する有底筒状をなし、上述した保持部６１１と同様、内周面のなす径が、カプセル型内視鏡２の長軸Ｌａと直交する方向の径と略同等である。保持部７１１は、カプセル型内視鏡２の上端部を支持する。
【０１０８】
側面部７２は、弾性変形可能であり、外部から力が加わった際に変形する。なお、変形部としての側面部７２の剛性が、少なくとも上面部７０（高剛性部）の剛性より低ければよく、剛性は、上述したような肉厚により調整してもよいし、剛性の異なる材料を用いて調整してもよいし、上面部７０の形状を波形状にしたり、上面部７０に対し、対向する側面部７２の一端から他端に向けて延びる凸部を設けたりしてもよい。底面部７１を机上等の平面上に載置して上面部７０側から押し付けて側面部７２を変形させる場合は、底面部７１の剛性が上面部７０や側面部７２の剛性より低くてもよい。
【０１０９】
図１５は、本実施の形態３にかかる収容パッケージの構成を示す部分断面図である。図１４に示す収容パッケージ７において、上面部７０に力（図１４に示す矢印）を加えると、側面部７２が変形して保持部７１１（カプセル型内視鏡２）が底面部７１側に移動する。なお、図１５の破線Ｐ１は、図１４に示す変形前の収容パッケージ７の形状を示している。本実施の形態３では、上面部７０に力が加わらずに側面部７２が変形していない状態のカプセル型内視鏡２（保持部７１１）の位置（図１４参照）を第１の位置とし、側面部７２が変形した状態のカプセル型内視鏡２（保持部７１１）の位置（図１５参照）を第２の位置とする。
【０１１０】
カプセル型内視鏡２は、図１４に示す保持状態において、保持部７１１により収容パッケージ７の上面部７０側で保持されている。本実施の形態３は、底面部７１側にスターターを配置して、カプセル型内視鏡２を第２の位置に配置した際に電源部１８をオン状態とする構成のため、第１の位置では、カプセル型内視鏡２が収容パッケージ７によって外部（スターター）の磁界から離れた位置で保持され、意図せずに電源がオン状態となることを防止することができる。換言すれば、第１の位置では、収容パッケージ７の外周のどの方向からもリードスイッチ１８ａが遠く、輸送時などにどの方向から未知の磁界が接近してもオン状態となりにくい。
【０１１１】
また、カプセル型内視鏡２は、第２の位置では、収容パッケージ７の底面部７１側寄りに位置するため、例えば、図１５において下方からスターターを近接することによって、リードスイッチ１８ａがスイッチ動作を行い、電源部１８がオン状態となる。これにより、電源部１８から照明部や撮像部などの各部に対して電源供給が行われる。
【０１１２】
上述した本実施の形態３によれば、外部から加わる力に対して、側面部７２が変形することにより、収容パッケージ７におけるカプセル型内視鏡２（保持部７１１）の相対的な位置が変化するようにしたので、カプセル型内視鏡２を収容した状態で電源を容易にオン状態とすることができる。
【０１１３】
なお、上述した本実施の形態３では、外部から加わる力に対して側面部７２が変形することにより、収容パッケージ７におけるカプセル型内視鏡２（保持部７１１）の相対的な位置を変化させるものとして説明したが、上面部７０の一部および側面部７２の一部が変形して、収容パッケージ７におけるカプセル型内視鏡２（保持部７１１）の相対的な位置を変化させるものなど、側面部７２に限らず、収容パッケージ７の一部が変形するものであってもよい。
【０１１４】
（実施の形態３の変形例１）
続いて、本発明の実施の形態３の変形例１について説明する。図１６は、本発明の実施の形態３の変形例１にかかる収容パッケージの構成を示す部分断面図である。上述した構成と同様の構成には同一の符号が付してある。上述した実施の形態３では、収容パッケージ７の側面部の一部が伸縮自在な形状をなすものとして説明したが、本変形例１では、収容パッケージ全体が縮小する。
【０１１５】
図１６に示すように、本変形例１にかかる収容パッケージ７ａは、滅菌された空間領域でカプセル型内視鏡２を保持する箱状をなす。収容パッケージ７ａは、熱により収縮する熱収縮材料を用いて形成される。収容パッケージ７ａは、上面部７３および底面部７４と、この上面部７３および底面部７４を両端でそれぞれ連結する略筒状の側面部７５と、を有する。
【０１１６】
上面部７３には、カプセル型内視鏡２を保持する保持部７２１を有する凹部７２０が設けられている。保持部７２１は、カプセル型内視鏡２を保持する有底筒状をなし、上述した保持部７１１と同様、内周面のなす径が、カプセル型内視鏡２の長軸Ｌａと直交する方向の径と略同等である。保持部７２１は、カプセル型内視鏡２の上端部を支持する。
【０１１７】
図１７は、本変形例１にかかる収容パッケージの構成を示す部分断面図である。図１６に示す収容パッケージ７ａに対して、全体に熱を加えると、収容パッケージ７ａが収縮して保持部７２１（カプセル型内視鏡２）が底面部７４側に移動する。なお、図１７の破線Ｐ２は、図１６に示す収容パッケージ７ａの収縮前の形状を示している。本変形例１では、熱が加わらずに収縮していない状態のカプセル型内視鏡２（保持部７２１）の位置（図１６参照）を第１の位置とし、収縮した状態のカプセル型内視鏡２（保持部７２１）の位置（図１７参照）を第２の位置とする。
【０１１８】
カプセル型内視鏡２は、図１６に示す保持状態において、保持部７２１により収容パッケージ７ａの上面部７３側で保持されている。上述した実施の形態３と同様、第１の位置では、カプセル型内視鏡２が収容パッケージ７ａによって外部（スターター）の磁界から離れた位置で保持され、意図せずに電源がオン状態となることを防止することができる。換言すれば、第１の位置では、収容パッケージ７ａの外周のどの方向からもリードスイッチ１８ａが遠く、輸送時などにどの方向から未知の磁界が接近してもオン状態となりにくい。
【０１１９】
また、カプセル型内視鏡２は、第２の位置では、収容パッケージ７ａの底面部７４側寄りに位置するため、例えば、図１７において下方からスターターを近接することによって、リードスイッチ１８ａがスイッチ動作を行い、電源部１８がオン状態となる。これにより、電源部１８から照明部や撮像部などの各部に対して電源供給が行われる。
【０１２０】
上述した本変形例１によれば、外部から熱を加えることにより、収容パッケージ７ａを収縮させることにより、収容パッケージ７ａにおけるカプセル型内視鏡２（保持部７２１）の相対的な位置が変化するようにしたので、カプセル型内視鏡２を収容した状態で電源を容易にオン状態とすることができる。
【０１２１】
なお、本変形例１において、保持部７２１は、熱収縮材料を用いて形成されるものとして説明したが、保持部７２１を熱によって収縮しない材料で形成してもよい。保持部７２１を熱によって収縮しない材料で形成することで、収容パッケージ７ａに熱が加わった場合でもカプセル型内視鏡２の保持状態を維持することができる。また、保持部７２１が、熱収縮材料を用いて形成されている場合に、他の部位と比して保持部７２１に熱が加わらないように、熱の加え方を調節してもよい。
【０１２２】
（実施の形態３の変形例２）
続いて、本発明の実施の形態３の変形例２について説明する。図１８は、本発明の実施の形態３の変形例２にかかる収容パッケージの構成を示す部分断面図である。上述した構成と同様の構成には同一の符号が付してある。上述した実施の形態３では、上面部７０に形成された凹部７１０に保持部７１１が設けられるものとして説明したが、本変形例２では、側面部７２ａによって保持部７３１が支持されている。
【０１２３】
図１８に示すように、本変形例２にかかる収容パッケージ７ｂは、滅菌された空間領域でカプセル型内視鏡２を保持する箱状をなす。収容パッケージ７ｂは、上面部７０ａおよび底面部７１と、この上面部７０ａおよび底面部７１を両端でそれぞれ連結する略筒状の側面部７２ａと、を有する。
【０１２４】
収容パッケージ７ｂの内部には、カプセル型内視鏡２を保持する有底筒状の保持部７３１と、保持部７３１の上端から底面部７１側に傾斜して延びる錘状の傾斜部７３２と、が設けられている。保持部７３１は、カプセル型内視鏡２を保持する有底筒状をなし、上述した保持部７１１と同様、内周面のなす径が、カプセル型内視鏡２の長軸Ｌａと直交する方向の径と略同等である。保持部７３１は、収容パッケージ７ｂの中央部でカプセル型内視鏡２を保持する位置に配置される。また、傾斜部７３２は、保持部７３１に連なる側と異なる側の端部が、側面部７２ａの内周面に連結している。
【０１２５】
ここで、側面部７２ａの剛性は、上面部７０ａおよび傾斜部７３２の剛性より低い。このため、側面部７２ａは、上述した側面部７２と同様、弾性変形可能な材料を用いて形成され、外部から力が加わった際に変形する。なお、変形部としての側面部７２ａの剛性が、上面部７０ａおよび傾斜部７３２の剛性より低ければよく、剛性は、上述したような肉厚により調整してもよいし、剛性の異なる材料を用いて調整してもよいし、上面部７０ａおよび傾斜部７３２の形状を波形状にしたり、上面部７０ａに対し、対向する側面部７２ａの一端から他端に向けて延びる凸部や、傾斜部７３２に対し、保持部７３１（一端）から側面部７２ａ（他端）に向けて延びる凸部を設けたりしてもよい。
【０１２６】
続いて、収容パッケージ７ｂに収容されたカプセル型内視鏡２の保持位置を変更する方法について図面を参照して説明する。図１９は、本変形例２にかかる収容パッケージに収容されたカプセル型内視鏡の保持位置の変更を説明する図である。図１９の（ａ）は、カプセル型内視鏡２が収容パッケージ７ｂの中央部（第１の位置）に保持されている状態を示している。図１９の（ｂ）は、カプセル型内視鏡２の保持位置の変更途中の状態を示している。図１９の（ｃ）は、カプセル型内視鏡２が収容パッケージ７ｂの底面部７１側（第２の位置）で保持されている状態を示している。
【０１２７】
図１９の（ａ）に示すように、カプセル型内視鏡２が第１の位置で保持されている状態において、上面部７０ａに下方（底面部７１側）の力Ｆが加わると、側面部７２ａが変形する。側面部７２ａが変形して内周のなす径が大きくなると、傾斜部７３２は、該傾斜部７３２の外表面と保持部７３１の側面とのなす角度が大きくなる方向に移動する（図１９の（ｂ）参照）。なお、図１９の（ｂ）の破線Ｐ２０は、図１９の（ａ）に示す変形前の収容パッケージ７ｂの形状を示している。
【０１２８】
その後、さらに下方の力Ｆを加え続けると、傾斜部７３２は、円板状を経て図１９（ａ）に示す形状とは逆の態様の錘状となり、保持部７３１が、底面部７１側に移動する（図１９の（ｃ））。これにより、カプセル型内視鏡２は、底面部７１側（第２の位置）に保持された状態となる。なお、図１９の（ｃ）の破線Ｐ２１は、図１９の（ｂ）に示す収容パッケージ７ｂの形状を示している。
【０１２９】
カプセル型内視鏡２は、第２の位置では収容パッケージ７ｂの底面部７１側寄りに位置するため、例えば、図１９の（ｃ）において下方からスターターを近接することによって、リードスイッチ１８ａがスイッチ動作を行い、電源部１８がオン状態となる。これにより、電源部１８から照明部や撮像部などの各部に対して電源供給が行われる。
【０１３０】
本変形例２によれば、外部からの力により側面部７２ａが変形すると、傾斜部７３２の傾斜態様が逆となって保持部７３１の位置が変化するようにしたので、カプセル型内視鏡を収容した状態で電源を容易にオン状態とすることができる。
【０１３１】
なお、本変形例２において、収容パッケージ７ｂを成形する際、図１９の（ｃ）の状態となるように成形し、成形後に図１９の（ａ）の状態となるように傾斜部７３２を変形させるようにしてもよい。この場合、傾斜部７３２には、第２の位置の状態をとるための復元力が加わっているため、上述した変形例１と比して小さい力によって第１の位置から第２の位置に変更することができる。
【０１３２】
（実施の形態３の変形例３）
続いて、本発明の実施の形態３の変形例３について説明する。図２０は、本発明の実施の形態３の変形例３にかかる収容パッケージの構成を示す部分断面図である。上述した構成と同様の構成には同一の符号が付してある。上述した実施の形態３の変形例２では、傾斜部７３２が保持部７３１を支持するものとして説明したが、本変形例３では、カプセル型内視鏡２を第１の位置で保持する第１保持部７４０と、カプセル型内視鏡２を第２の位置で保持する第２保持部７４２ａと、が設けられる。
【０１３３】
図２０に示すように、本変形例３にかかる収容パッケージ７ｃは、滅菌された空間領域でカプセル型内視鏡２を保持する箱状をなす。収容パッケージ７ｃは、上面部７０ａおよび底面部７１ａと、この上面部７０ａおよび底面部７１ａを両端でそれぞれ連結する略筒状の側面部７２ａと、を有する。
【０１３４】
収容パッケージ７ｃの内部には、カプセル型内視鏡２を保持する筒状の第１保持部７４０と、第１保持部７４０を支持する支持部７４１と、が設けられている。第１保持部７４０は、カプセル型内視鏡２の径方向の一端に当接する第１当接部７４０ａと、カプセル型内視鏡２の径方向の他端に当接する第２当接部７４０ｂと、を有する。カプセル型内視鏡２は、第１当接部７４０ａと第２当接部７４０ｂとにより挟持される。第１保持部７４０は、収容パッケージ７ｃの中央部でカプセル型内視鏡２を保持する位置に配置される。また、支持部７４１は、平板状をなし、一端で第１当接部７４０ａを支持し、他端が側面部７２ａの内周面に連結する第１支持部７４１ａと、平板状をなし、一端で第２当接部７４０ｂを支持し、他端が側面部７２ａの内周面に連結する第２支持部７４１ｂと、を有する。
【０１３５】
底面部７１ａには、カプセル型内視鏡２を保持可能な第２保持部７４２ａを有する凹部７４２が設けられている。第２保持部７４２ａは、カプセル型内視鏡２を保持可能な有底筒状をなし、上述した保持部７１１と同様、内周面のなす径が、カプセル型内視鏡２の長軸Ｌａと直交する方向の径と略同等である。第２保持部７４２ａは、第１保持部７４０によるカプセル型内視鏡２の保持位置の鉛直下方に設けられている。
【０１３６】
続いて、収容パッケージ７ｃに収容されたカプセル型内視鏡２の保持位置を変更する方法について図面を参照して説明する。図２１は、本変形例３にかかる収容パッケージに収容されたカプセル型内視鏡の保持位置の変更を説明する図である。図２１の（ａ）は、カプセル型内視鏡２が収容パッケージ７ｃの中央部（第１の位置）に保持されている状態を示している。図２１の（ｂ）は、カプセル型内視鏡２の保持位置の変更途中の状態を示している。図２１の（ｃ）は、カプセル型内視鏡２が収容パッケージ７ｃの底面部７１ａ側（第２の位置）で保持されている状態を示している。
【０１３７】
図２１の（ａ）に示すように、カプセル型内視鏡２が第１の位置で保持されている状態において、上面部７０ａに下方（底面部７１ａ側）の力Ｆが加わると、側面部７２ａが変形する。側面部７２ａが変形して内周のなす径が大きくなると、この拡径に連動して第１支持部７４１ａと第２支持部７４１ｂとが離れる。すなわち、第１支持部７４１ａに支持されている第１当接部７４０ａと、第２支持部７４１ｂに支持されている第２当接部７４０ｂとが離れる（図２１の（ｂ）参照）。第１当接部７４０ａと第２当接部７４０ｂとが離れると、カプセル型内視鏡２の挟持状態が解除され、カプセル型内視鏡２が落下する。なお、図２１の（ｂ）の破線Ｐ３０は、図２１の（ａ）に示す変形前の収容パッケージ７ｃの形状を示している。
【０１３８】
カプセル型内視鏡２が落下すると、カプセル型内視鏡２は、第２保持部７４２ａに保持される（図２１の（ｃ））。これにより、カプセル型内視鏡２は、底面部７１ａ部側（第２の位置）に保持された状態となる。なお、図２１の（ｃ）の破線Ｐ３１は、図２１の（ｂ）に示す収容パッケージ７ｃの形状を示している。
【０１３９】
カプセル型内視鏡２は、第２の位置では収容パッケージ７ｃの底面部７１ａ側寄りに位置するため、例えば、図２１の（ｃ）において下方からスターターを近接することによって、リードスイッチ１８ａがスイッチ動作を行い、電源部１８がオン状態となる。これにより、電源部１８から照明部や撮像部などの各部に対して電源供給が行われる。
【０１４０】
本変形例３によれば、外部からの力により側面部７２ａが変形すると、カプセル型内視鏡２を第１の位置で保持する第１保持部７４０による保持状態が解除され、第２保持部７４２ａがカプセル型内視鏡２を第２の位置で保持するようにしたので、カプセル型内視鏡２を収容した状態で電源を容易にオン状態とすることができる。
【０１４１】
（実施の形態３の変形例４）
続いて、本発明の実施の形態３の変形例４について説明する。図２２は、本実施の形態３の変形例４にかかる収容パッケージの変形を防止する変形防止部材の構成を模式的に示す部分断面図である。図２３は、図２２に示す矢視Ｂからみた変形防止部材の構成を示す上面図である。上述した実施の形態３では、例えば収容パッケージ７の搬送時、積み重ねや振動などにより、収容パッケージ７が変形してしまうおそれがある。本変形例４では、この意図しない変形を防止するとともに、所望のタイミングでカプセル型内視鏡２の保持位置の変化防止を解除することができる変形防止部材が設けられる。
【０１４２】
本変形例４にかかる変形防止部材３００は、収容パッケージ７を載置する載置部３０１と、収容パッケージ７全体を収容可能な有底筒状なす収容部３０２と、有する。収容部３０２は、二分割されてなる第１収容部３０２ａと、第２収容部３０２ｂとを有する。第１収容部３０２ａおよび第２収容部３０２ｂには、収容部３０２の底部側に、開口部３０２ｃを形成する第１切欠き部３０２０および第２切欠き部３０２１がそれぞれ形成されている。載置部３０１と収容部３０２とにより収容パッケージ７を収容することで、収容パッケージ７に対して外部から力が加わることを防止することができる。
【０１４３】
図２４は、本変形例４にかかる収容パッケージの変形を防止する変形防止部材の構成を模式的に示す部分断面図である。変形防止部材３００から収容パッケージ７を取り出す際には、第１収容部３０２ａと第２収容部３０２ｂとを離間させる。この際、指などによって開口部３０２ｃを介して保持部７１１の周辺を押すと、側面部７２が変形してカプセル型内視鏡２を第２の位置に配置することができる。換言すれば、収容パッケージ７が変形防止部材３００に保持された状態では、カプセル型内視鏡２が第１の位置で保持され、第１収容部３０２ａと第２収容部３０２ｂとを離間させてカプセル型内視鏡２を取り出すと、カプセル型内視鏡２は、第２の位置に配置されている。
【０１４４】
本変形例４によれば、収容パッケージ７を変形防止部材３００に収納することで、例えば収容パッケージ７の搬送時、積み重ねや移動による振動などにより、収容パッケージ７が意図せずに変形することを防止できる。
【０１４５】
（実施の形態３の変形例５）
続いて、本発明の実施の形態３の変形例５について説明する。図２５は、本実施の形態３の変形例５にかかる収容パッケージの変形を防止する変形防止部材の構成を模式的に示す部分断面図である。上述した実施の形態３の変形例４では、変形防止部材が収容パッケージ７を収容するものとして説明したが、本変形例５では、収容パッケージの内部に変形防止部材が設けられる。
【０１４６】
図２５に示すように、本変形例５にかかる収容パッケージ７ｄは、滅菌された空間領域でカプセル型内視鏡２を保持する箱状をなす。収容パッケージ７ｄは、上面部７０および底面部７１ｂと、この上面部７０および底面部７１ｂを両端でそれぞれ連結する略筒状の側面部７２と、を有する。底面部７１ｂには、弾性変形可能な凹部７４３が設けられている。
【０１４７】
また、収容パッケージ７ｄの内部には、例えば略棒状をなし、一端で上面部７０を支持するとともに、他端で底面部７１ｂを支持し、収容パッケージの変形を防止する第１変形防止部材７６ａおよび第２変形防止部材７６ｂが設けられている。
【０１４８】
図２６は、本変形例５にかかる収容パッケージの変形を防止する変形防止部材の構成を模式的に示す部分断面図である。図２６の（ａ）は、収容パッケージ７ｄの凹部７４３を変形させた場合の構成を模式的に示す部分断面図である。図２６の（ｂ）は、収容パッケージ７ｄの変形防止状態を解除した場合の構成を模式的に示す部分断面図である。収容パッケージ７ｄの変形防止状態を解除する場合、使用者が凹部７４３に指を入れるなどして凹部７４３を変形させて（図２６の（ａ））、第１変形防止部材７６ａおよび第２変形防止部材７６ｂを折ったり、曲げたり、倒したりして、第１変形防止部材７６ａおよび第２変形防止部材７６ｂによる上面部７０および底面部７１ｂの支持状態を解除する（図２６の（ｂ））。
【０１４９】
本変形例５によれば、収容パッケージ７ｄの内部に第１変形防止部材７６ａおよび第２変形防止部材７６ｂを設けて収容パッケージ７ｄの変形を防止するとともに、底面部７１ｂに形成された凹部７４３を介して収容パッケージ７ｄの変形防止状態を解除するようにしたので、例えば収容パッケージ７ｄの搬送時、積み重ねや移動による振動などにより、収容パッケージ７ｄが意図せずに変形することを防止できる。
【０１５０】
（実施の形態４）
続いて、本発明の実施の形態４について説明する。図２７は、本実施の形態４にかかる収容パッケージの構成を示す部分断面図である。上述した構成と同様の構成には同一の符号が付してある。上述した実施の形態１では、凹部６１０に設けられた傾斜部６１２および壁部６１３によって保持部６１１の位置を変更するものとして説明したが、本実施の形態４では、収容パッケージ８の側面部の一部が伸縮自在な形状をなす。
【０１５１】
図２７に示すように、本実施の形態４にかかる収容パッケージ８は、滅菌された空間領域でカプセル型内視鏡２を保持する箱状をなす。
【０１５２】
収容パッケージ８は、中空円柱状をなす本体部８０と、本体部８０の内部に設けられ、カプセル型内視鏡２を保持する保持孔８１ａが形成された円板状の保持部８１と、を有する。保持部８１の外周のなす径は、本体部８０の内壁面のなす径より若干小さく、接着力の小さい接合材Ｂ１を介して本体部８０に支持されている。保持部８１は、本体部８０の中央部でカプセル型内視鏡２を保持する位置で支持されている。なお、接合材Ｂ１のほか、保持部８１の外周のなす径を、本体部８０の内壁面のなす径より若干大きくして、嵌合（弱い圧入）により支持されるものであってもよい。
【０１５３】
本体部８０の側面部８０ａは、弾性変形可能であり、外部から力が加わった際に変形する。なお、変形部としての側面部８０ａの剛性が上面および底面（高剛性部）の剛性より低いことが好ましく、例えば底面を机上等の平面上に載置するものであれば、底面の剛性が側面部８０ａより低くてもよい。なお、本実施の形態４にかかる側面部８０ａは、収容パッケージを机上等に載置した際に、表面に対する法線が、重力方向と直交する面である。剛性は、上述したような肉厚により調整してもよいし、剛性の異なる材料を用いて調整してもよい。また、上面の形状を波形状にしたり、上面に凸部を設けたりして剛性を調整してもよい。
【０１５４】
続いて、収容パッケージ８に収容されたカプセル型内視鏡２の保持位置を変更する方法について図面を参照して説明する。図２８は、本実施の形態４にかかる収容パッケージに収容されたカプセル型内視鏡の保持位置の変更を説明する図である。図２８の（ａ）は、カプセル型内視鏡２が収容パッケージ８の中央部（第１の位置）に保持されている状態を示している。図２８の（ｂ）は、カプセル型内視鏡２の保持位置の変更途中の状態を示している。図２８の（ｃ）は、カプセル型内視鏡２が収容パッケージ８の底面側（第２の位置）で保持されている状態を示している。
【０１５５】
図２８の（ａ）に示すように、カプセル型内視鏡２が第１の位置で保持されている状態において、上面から下方（底面側）の力Ｆが加わると、側面部８０ａが変形する。側面部８０ａが変形して内周面のなす径が大きくなると、接合材Ｂ１により、本体部８０による保持部８１の支持状態が解除され、保持部８１が落下する。なお、図２８の（ｂ）の破線Ｐ４０は、図２８の（ａ）に示す変形前の収容パッケージ８の形状を示している。
【０１５６】
保持部８１が落下すると、カプセル型内視鏡２は、底面側（第２の位置）に保持された状態となる（図２８の（ｃ））。なお、図２８の（ｃ）の破線Ｐ４１は、図２８の（ｂ）に示す収容パッケージ８の形状を示している。
【０１５７】
カプセル型内視鏡２は、第２の位置では収容パッケージ８の底面側寄りに位置するため、例えば、図２８の（ｃ）において下方からスターターを近接することによって、リードスイッチ１８ａがスイッチ動作を行い、電源部１８がオン状態となる。これにより、電源部１８から照明部や撮像部などの各部に対して電源供給が行われる。
【０１５８】
本実施の形態４によれば、外部からの力により側面部８０ａが変形すると、カプセル型内視鏡２を第１の位置で保持する保持部８１の本体部８０による支持状態が解除され、保持部８１の落下によりカプセル型内視鏡２を収容パッケージ８の底面側（第２の位置）で保持するようにしたので、カプセル型内視鏡２を収容した状態で電源を容易にオン状態とすることができる。
【０１５９】
なお、上述した実施の形態４において、接合材Ｂ１は、保持部８１の全周に設けられるものであってもよいし、一部に設けられるものであってもよい。嵌合についても同様に、全周において本体部８０と嵌合するものであってもよいし、一部において本体部８０と嵌合するものであってもよい。
【０１６０】
（実施の形態４の変形例１）
続いて、本発明の実施の形態４の変形例１について説明する。図２９は、本実施の形態４の変形例１にかかる収容パッケージの構成を示す部分断面図である。上述した構成と同様の構成には同一の符号が付してある。上述した実施の形態４では、保持部８１が接合材Ｂ１または嵌合により本体部８０に支持されるものとして説明したが、本変形例１では、保持部８１が熱によって溶解する接合材Ｂ２により本体部８０に支持される。
【０１６１】
本変形例１にかかる収容パッケージ８ａは、上述した収容パッケージ８の接合材Ｂ１に代えて、接合材Ｂ２が設けられる。保持部８１は、本体部８０の中央部でカプセル型内視鏡２を保持する位置で支持されている。接合材Ｂ２は、熱によって溶解する接合材料を用いて実現される。
【０１６２】
続いて、収容パッケージ８ａに収容されたカプセル型内視鏡２の保持位置を変更する方法について図面を参照して説明する。図３０は、本変形例１にかかる収容パッケージに収容されたカプセル型内視鏡の保持位置の変更を説明する図である。図３０の（ａ）は、カプセル型内視鏡２が収容パッケージ８ａの中央部（第１の位置）に保持され、外部から熱Ｈが加えられた状態を示している。図３０の（ｂ）は、カプセル型内視鏡２が収容パッケージ８ａの底面側（第２の位置）で保持されている状態を示している。
【０１６３】
図３０の（ａ）に示すように、カプセル型内視鏡２が第１の位置で保持されている状態において、保持部８１の支持位置（接合材Ｂ２配設位置）に熱Ｈが加わると、接合材Ｂ２が溶解し、本体部８０による保持部８１の支持状態が解除され、保持部８１が落下する。
【０１６４】
保持部８１が落下すると、カプセル型内視鏡２は、底面側（第２の位置）に保持された状態となる（図３０の（ｂ））。カプセル型内視鏡２は、第２の位置では収容パッケージ８ａの底面側寄りに位置するため、例えば、図３０の（ｂ）において下方からスターターを近接することによって、リードスイッチ１８ａがスイッチ動作を行い、電源部１８がオン状態となる。これにより、電源部１８から照明部や撮像部などの各部に対して電源供給が行われる。
【０１６５】
本変形例１によれば、保持部８１の支持位置（接合材Ｂ２配設位置）に熱Ｈを加えることで、カプセル型内視鏡２を第１の位置で保持する保持部８１の本体部８０による支持状態が解除され、保持部８１の落下によりカプセル型内視鏡２を収容パッケージ８ａの底面側（第２の位置）で保持するようにしたので、カプセル型内視鏡２を収容した状態で電源を容易にオン状態とすることができる。
【０１６６】
（実施の形態４の変形例２）
続いて、本発明の実施の形態４の変形例２について説明する。図３１は、本実施の形態４の変形例２にかかる収容パッケージの構成を示す部分断面図である。上述した構成と同様の構成には同一の符号が付してある。上述した実施の形態４では、本体部８０の側面部８０ａを変形させてカプセル型内視鏡２の保持位置を変更するものとして説明したが、本変形例２では、磁石を用いて保持部８２を引き寄せることによりカプセル型内視鏡２の保持位置を変更する。
【０１６７】
本変形例２にかかる収容パッケージ８ｂは、上述した収容パッケージ８の保持部８１に代えて、保持部８２が設けられる。保持部８２は、保持部８１と同一の形状をなし、粒子状の磁性体または永久磁石（磁性粒子Ｐｍ）を内部に含んでいる。なお、本体部８０と保持部８２との間、または保持部８２には、本体部８０において保持部８２により分割される空間を連通する隙間や連通孔が設けられていることが好ましい。
【０１６８】
続いて、収容パッケージ８ｂに収容されたカプセル型内視鏡２の保持位置を変更する方法について図面を参照して説明する。図３２は、本変形例２にかかる収容パッケージに収容されたカプセル型内視鏡の保持位置の変更を説明する図である。図３２に示すように、カプセル型内視鏡２が第１の位置で保持されている状態において、底面側から磁石Ｍを近づけると、本体部８０による保持部８２の支持状態が解除され、保持部８２が底面側に引き寄せられる。
【０１６９】
保持部８２が底面付近まで引き寄せられると、カプセル型内視鏡２は、底面側（第２の位置）に保持された状態となる（図３２参照）。カプセル型内視鏡２は、第２の位置では収容パッケージ８ｂの底面側寄りに位置するため、例えば、図３２において下方からスターターを近接することによって、リードスイッチ１８ａがスイッチ動作を行い、電源部１８がオン状態となる。これにより、電源部１８から照明部や撮像部などの各部に対して電源供給が行われる。
【０１７０】
本変形例２によれば、本体部８０の底面側から磁石Ｍを近づけることで、カプセル型内視鏡２を第１の位置で保持する保持部８２の本体部８０による支持状態が解除され、保持部８２の移動によりカプセル型内視鏡２を収容パッケージ８ｂの底面側（第２の位置）で保持するようにしたので、カプセル型内視鏡２を収容した状態で電源を容易にオン状態とすることができる。
【０１７１】
本変形例２において、スターターと磁石Ｍとを一体化させてもよい。これにより、保持部８２を底面付近まで引き寄せつつ、電源部１８をオン状態とすることができる。
【０１７２】
なお、上述した実施の形態１〜４および変形例では、二つの撮像部（撮像部１１Ａ，１１Ｂ）を備えるものとして説明したが、撮像部を一つ備えたものであってもよい。撮像部の数は、観察対象の臓器等により任意に設計可能である。
【０１７３】
また、上述した実施の形態１〜４および変形例では、磁界を発生するスターターを用いてカプセル型内視鏡２の電源をオン状態とするものとして説明したが、高周波の電流を無線通信によりカプセル型内視鏡に与えて電源をオン状態とするものであってもよい。
【０１７４】
本発明は、以上説明した実施の形態１〜４および変形例には限定されず、請求の範囲に記載した技術的思想を逸脱しない範囲内において、様々な実施の形態を含みうるものである。また、実施の形態１〜４および変形例の構成を適宜組み合わせてもよい。例えば、各実施の形態１〜４およびその変形例において、実施の形態３の変形例４，５にかかる変形防止部材２００，３００を設けてもよい。
【産業上の利用可能性】
【０１７５】
以上のように、本発明にかかるカプセル型内視鏡保持装置は、カプセル型内視鏡を収容した状態で電源を容易にオン状態とするのに有用である。
【符号の説明】
【０１７６】
１  被検体
２  カプセル型内視鏡
３  受信装置
３ａ  受信ジャケット
３ｂ  外部装置
４  表示装置
５  携帯型記録媒体
６，６ａ，７，７ａ，７ｂ，７ｃ，７ｄ，８，８ａ，８ｂ  収容パッケージ
１１Ａ，１１Ｂ  撮像部
１２  カプセル型筐体
１３Ａ，１３Ｂ  照明部
１４Ａ，１４Ｂ  光学系
１５Ａ，１５Ｂ  撮像素子
１６  無線通信部
１７  制御部
１８  電源部
１８ａ  リードスイッチ
６１，６３  収容ケース
６１ａ，６３ａ  円筒部
６１ｂ，６３ｂ  取手部
６１ｃ，６３ｃ  縁部
６１ｄ，６３ｄ  突起部
６２  滅菌シート
７０，７０ａ，７３  上面部
７１，７１ａ，７１ｂ，７４  底面部
７２，７２ａ，７５  側面部
８０  本体部
８１，８２，６１１，６２１，６３０ａ，７１１，７２１，７３１  保持部
６１０，６２０，６３０，７１０，７２０，７４２  凹部
６１２，６１２ａ，６１２ｂ，６２２，７３２  傾斜部
６１３，６２３  壁部
６３１  伸縮部
７４０  第１保持部
７４１  支持部
７４２ａ  第２保持部
２００，３００  変形防止部材
Ｂ１，Ｂ２  接合材
【図１】
2016157603.tif 000003
【図２】
2016157603.tif 000004
【図３】
2016157603.tif 000005
【図４】
2016157603.tif 000006
【図５】
2016157603.tif 000007
【図６】
2016157603.tif 000008
【図７】
2016157603.tif 000009
【図８】
2016157603.tif 000010
【図９】
2016157603.tif 000011
【図１０】
2016157603.tif 000012
【図１１】
2016157603.tif 000013
【図１２】
2016157603.tif 000014
【図１３】
2016157603.tif 000015
【図１４】
2016157603.tif 000016
【図１５】
2016157603.tif 000017
【図１６】
2016157603.tif 000018
【図１７】
2016157603.tif 000019
【図１８】
2016157603.tif 000020
【図１９】
2016157603.tif 000021
【図２０】
2016157603.tif 000022
【図２１】
2016157603.tif 000023
【図２２】
2016157603.tif 000024
【図２３】
2016157603.tif 000025
【図２４】
2016157603.tif 000026
【図２５】
2016157603.tif 000027
【図２６】
2016157603.tif 000028
【図２７】
2016157603.tif 000029
【図２８】
2016157603.tif 000030
【図２９】
2016157603.tif 000031
【図３０】
2016157603.tif 000032
【図３１】
2016157603.tif 000033
【図３２】
2016157603.tif 000034
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
被検体の内部に導入されるカプセル型内視鏡を保持するカプセル型内視鏡保持装置であって、
前記カプセル型内視鏡を保持する保持部を備え、
外部から加わるエネルギーに応じて前記保持部の位置が変化することにより、前記カプセル型内視鏡の保持位置が互いに異なる第１の位置または第２の位置に変化する、
ことを特徴とするカプセル型内視鏡保持装置。
【請求項２】
当該カプセル型内視鏡保持装置の一部が変形することにより、前記保持位置が前記第１および第２の位置のいずれかに変化する、
ことを特徴とする請求項１に記載のカプセル型内視鏡保持装置。
【請求項３】
前記保持部は、前記カプセル型内視鏡を保持する有底筒状をなし、
前記保持部の開口端から傾斜して延び、前記保持位置を前記第１または第２の位置に変化させる異なる二つの傾斜態様に変形可能な錘状の傾斜部と、
前記傾斜部の前記保持部に連なる側と異なる側の端部から延びる筒状の壁部と、
を備えることを特徴とする請求項２に記載のカプセル型内視鏡保持装置。
【請求項４】
前記傾斜部の剛性が、前記壁部の剛性と比して高いことを特徴とする請求項３に記載のカプセル型内視鏡保持装置。
【請求項５】
前記保持部の位置が変化する方向に沿って蛇腹状をなして延びる伸縮自在な伸縮部、
を備えることを特徴とする請求項２に記載のカプセル型内視鏡保持装置。
【請求項６】
前記保持部を有する上面部と、
前記上面部と対向して設けられる底面部と、
前記上面部および前記底面部を両端でそれぞれ連結し、少なくとも前記上面部の剛性より低い剛性を有する側面部と、
を備えることを特徴とする請求項２に記載のカプセル型内視鏡保持装置。
【請求項７】
上面部と、
前記上面部と対向して設けられる底面部と、
前記上面部および前記底面部を両端でそれぞれ連結し、少なくとも前記上面部の剛性より低い剛性を有する側面部と、
前記上面部よりも高い剛性を有し、異なる二つの傾斜態様に変形可能であり、前記側面部の内周面と連結する錘状の傾斜部と、
を備え、
前記保持部は、前記傾斜部に支持されていることを特徴とする請求項２に記載のカプセル型内視鏡保持装置。
【請求項８】
前記保持部を有する上面部と、
前記上面部と対向して設けられる底面部と、
前記上面部および前記底面部を両端でそれぞれ連結する側面部と、
を備え、
前記上面部、前記底面部および前記側面部は、熱により伸縮する材料により形成されてなることを特徴とする請求項２に記載のカプセル型内視鏡保持装置。
【請求項９】
前記保持部は、
前記カプセル型内視鏡を前記第１の位置で保持する第１保持部と、
前記カプセル型内視鏡を前記第２の位置で保持する第２保持部と、
からなり、
前記第１保持部の位置が変化することによって前記カプセル型内視鏡が移動することにより、前記保持位置が前記第１および第２の位置のいずれかに変化することを特徴とする請求項１に記載のカプセル型内視鏡保持装置。
【請求項１０】
上面部と、
前記上面部と対向して設けられる底面部と、
前記上面部および前記底面部を両端でそれぞれ連結し、少なくとも前記上面部の剛性より低い剛性を有する側面部と、
一端で前記側面部に連結し、他端で前記第１保持部を支持する支持部と、
を備え、
前記第２保持部は、第１保持部の下方に設けられていることを特徴とする請求項９に記載のカプセル型内視鏡保持装置。
【請求項１１】
上面部と、前記上面部と対向して設けられる底面部と、前記上面部および前記底面部を両端でそれぞれ連結し、少なくとも前記上面部の剛性より低い剛性を有する側面部と、を有する本体部を備え、
前記保持部は、前記側面部の内周面に着脱自在に設けられる
ことを特徴とする請求項９に記載のカプセル型内視鏡保持装置。
【請求項１２】
上面部と、前記上面部と対向して設けられる底面部と、前記上面部および前記底面部を両端でそれぞれ連結する側面部と、を有する本体部を備え、
前記保持部は、熱により溶解可能な接合材により前記側面部の内周面に保持されている
ことを特徴とする請求項９に記載のカプセル型内視鏡保持装置。
【請求項１３】
上面部と、前記上面部と対向して設けられる底面部と、前記上面部および前記底面部を両端でそれぞれ連結する側面部と、を備えた本体部有する本体部を備え、
前記保持部は、前記側面部の内周面に保持され、磁性材料を含んでいる
ことを特徴とする請求項９に記載のカプセル型内視鏡保持装置。
【請求項１４】
前記第１または第２の位置への変化を防止するとともに、所望のタイミングで前記第１または第２の位置への変化の防止を解除する防止部材、
を備えることを特徴とする請求項１に記載のカプセル型内視鏡保持装置。
【手続補正２】
【補正対象書類名】図面
【補正対象項目名】図１９
【補正方法】変更
【補正の内容】
【図１９】
2016157603.tif 000035
【国際調査報告】
2016157603.tif 000036
2016157603.tif 000037
2016157603.tif 000038
2016157603.tif 000039